(57)【要約】【課題】釣竿への取り付け状態が確認しやすい上栓を有する釣竿を提供することである。【解決手段】元竿５（釣竿Ａ）の先端部Ｓには上栓８が着脱自在に装着されている。この上栓８は、元竿５の先端部Ｓの開口５ａに嵌合する柱状の栓体９と元竿５の先端部Ｓに被せて開口５ａを覆う筒状体１０を有し、筒状体１０の周壁１０ｂには、その内側と外側に通じる貫通孔１１を設け、この貫通孔１１を通じてその外側から内側が視認できるようになっている。貫通孔１１は上栓８の周壁１０ｂの周方向に延びる長孔で、周壁１０ｂの周方向に並設されて複数設けられている。【選択図】    図２
2011177081.tif 000002
【特許請求の範囲】
【請求項１】
先端部に上栓を装着した釣竿において、前記上栓は、前記釣竿の先端部の開口に嵌合する栓体と前記釣竿の先端部を覆う筒状体を有し、前記筒状体の周壁に該周壁の内側と外側に通じる貫通孔を設けたことを特徴とする釣竿。
【請求項２】
貫通孔は筒状体の周壁の周方向に複数設けたことを特徴とする請求項１に記載の釣竿。
【請求項３】
貫通孔は筒状体の周壁の周方向に延びる長孔であることを特徴とする請求項１または２に記載の釣竿。
【請求項４】
貫通孔は筒状体の周壁の外側に前記貫通孔の内側に向けて下る傾斜面が形成されていることを特徴とする請求項１乃至３の何れか１項に記載の釣竿。
【請求項５】
上栓を釣竿に装着したときに、前記釣竿と前記上栓の前記筒状体の間に間隙が形成されることを特徴とする請求項１乃至４の何れか１項に記載の釣竿。
【発明の詳細な説明】
【技術分野】
【０００１】
本発明は、先端部に上栓を装着した釣竿に関する。
【背景技術】
【０００２】
従来から釣竿は筒状に形成された竿杆を繋いで形成されたものが多く、特に振り出し竿は複数の筒状の竿杆が順次元竿内に収納されており、これら複数の竿杆が収納された元竿の先端部の孔を閉塞するために上栓が取り付けられている。
釣竿の上栓は、振り出し竿など釣竿内に収納した竿杆の飛び出しを防止し、また、釣竿の先端部を保護している。
これら釣竿の上栓は、釣竿先端の外側に被せるキャップ状に形成されているが、釣竿に被せてしまうと釣竿に対する差し込み状態が分からないため上栓の差し込みが浅くなっていることに気づかず釣竿を持ち運ぶと上栓が脱落する虞があった。
【特許文献１】実開平４−１１３５７２
【発明の概要】
【発明が解決しようとする課題】
【０００３】
解決しようとする問題点は、釣竿先端の外側に被せるキャップ状の釣竿の上栓は、釣竿に対する差し込み状態が分からないため差し込みが浅くなっていることに気づかず釣竿を持ち運ぶと上栓が脱落する虞があることである。
【０００４】
本発明の目的は前記欠点に鑑み、釣竿への取り付け状態が確認しやすい上栓を有する釣竿を提供することである。
【課題を解決するための手段】
【０００５】
本発明の請求項１は、先端部に上栓を装着した釣竿において、前記上栓は、前記釣竿の先端部の開口に嵌合する栓体と前記釣竿の先端部を覆う筒状体を有し、前記筒状体の周壁に該周壁の内側と外側に通じる貫通孔を設けたことを要旨とするものである。
本発明の請求項２は、貫通孔は筒状体の周壁の周方向に複数設けたことを要旨とするものである。
本発明の請求項３は、貫通孔は筒状体の周壁の周方向に延びる長孔であることを要旨とするものである。
本発明の請求項４は、貫通孔は筒状体の周壁の外側に前記貫通孔の内側に向けて下る傾斜面が形成されていることを要旨とするものである。
本発明の請求項５は、上栓を釣竿に装着したときに、前記釣竿と前記上栓の前記筒状体の間に間隙が形成されることを要旨とするものである。
【発明の効果】
【０００６】
本発明の釣竿は、釣竿の先端部に装着した上栓の周壁に設けた貫通孔から釣竿に対する装着状態が確認できるため、不用意な上栓の脱落が防止できる。
【産業上の利用可能性】
【０００７】
本発明は、上栓を有する釣竿に利用できる。
【図面の簡単な説明】
【０００８】
【図１】図１は、本願の上栓を装着した釣竿の全体図である。
【図２】図２は、第１実施例で上栓を装着した釣竿先端部の縦方向拡大断面図である。
【図３】図３は、同上栓を装着した釣竿先端部の横方向拡大断面図である。
【図４】図４は、第２実施例で上栓を装着した釣竿の全体図である。
【発明を実施するための最良の形態】
【０００９】
本願発明を図示の実施例によって説明すると、図１から図３は本願の第１実施例で、図１は上栓を装着した釣竿の全体図、図２は上栓を装着した釣竿先端部の縦方向拡大断面図、図３は上栓を装着した釣竿先端部の横方向拡大断面図である。
【００１０】
図１、図２のように、釣竿Ａは、振り出し式釣竿で複数の筒状の竿杆Ｈ、１、２、３、４、５を有し、仕舞い時にはこれら竿杆のうち元竿５（竿杆５）内に中間竿１、２、３、４と穂先竿Ｈ（竿杆Ｈ）が順次収納され、釣りをするときはこれら竿杆Ｈから４が順番に引き出されて元竿５から穂先竿Ｈに向かってテーパーを有する釣竿Ａを形成するようになっている。
【００１１】
釣竿Ａを形成する竿杆は、繊維強化樹脂等の合成樹脂で形成され、釣竿Ａの最も外側の竿杆である元竿５の後端部には筒状（管状）の元竿５の後端部の孔を閉塞する尻栓６が取り付けられている。
尻栓６は、元竿５に螺子で着脱可能に螺合されて取り付けられ、筒状の元竿５の内部に収納された竿杆Ｈ、１、２、３、４が脱落しないようになっている。
【００１２】
釣竿Ａにあたる元竿５の先端部Ｓは、竿杆Ｈ、１、２、３、４が収納された元竿５の内部（収納部）に通じる開口５ａを有し、開口５ａの外周側口縁を囲むように竿杆を形成する材料より硬い材料の金属、合成樹脂等で形成されたリング６が取り付けられている。
リング６は、元竿５（釣竿Ａ）の先端部Ｓを補強すると共に、元竿５の竿杆との境界が分かるように元竿５の竿杆と異なる色で形成され、光を反射しやすいようにその表面が鏡面状に形成されている。
【００１３】
元竿５（釣竿Ａ）の先端部Ｓには上栓８が長手Ｌ方向に着脱自在に装着されている。
この上栓８は、元竿５（釣竿Ａ）の先端部Ｓの開口５ａに嵌合する柱状の栓体９と元竿５（釣竿Ａ）の先端部Ｓに被せて開口５ａを覆う筒状体１０を有し、この筒状体１０の外周には上栓８を釣竿Ａに対し着脱するために格子状のローレット溝を設けた握持部が形成されている。
【００１４】
栓体９はゴム、合成樹脂等の柔軟性を有する材料で形成され、元竿５（釣竿Ａ）の先端部Ｓの開口５ａに差し込まれるとその弾性によって開口５ａの内側面を押圧して元竿５（釣竿Ａ）に保持され上栓８の脱落を防止している。
【００１５】
筒状体１０は、元竿５（釣竿Ａ）の先端部Ｓに被せるキャップで、開口５ａの上方を覆う上蓋部１０ａとこの上蓋部１０ａからその周縁に垂下し、開口５ａ近傍の元竿５の先端部Ｓの外周を覆うスカート状の周壁１０ｂを有している。
【００１６】
筒状体１０の周壁１０ｂには、その筒状体１０の周壁１０ｂにその内側と外側に通じる貫通孔１１を設け、この貫通孔１１を通じてその外側から内側が視認できるようになっている。
貫通孔１１は上栓８の周壁１０ｂの周方向に延びる長孔で、周壁１０ｂの周方向に並設されて複数設けられている。
また、貫通孔１１は、周壁１０ｂの外側に貫通孔１１の内側に向けて下る傾斜面１１ａが形成されている。
【００１７】
また、筒状体１０は、その内側に元竿５（釣竿Ａ）の開口５ａに向かう突片状の支持体１０ｃを有し、この支持体１０ｃに栓体９が支持されて取り付けられ、栓体９の端部は筒状体１０の周壁１０ｂの下端より元竿５側に突出している。
周壁１０ｂの内側と栓体９の間には間隙Ｋが設けられ、この間隙Ｋに元竿５の先端部Ｓが差し込まれるようになっており、また、この間隙Ｋに元竿５の先端部Ｓが差し込まれてもなお周壁１０ｂの内側と元竿５の外側との間には間隙Ｋが形成されたまま残るようになっている。
【００１８】
このように形成された元竿５（釣竿Ａ）の先端部Ｓに上栓８が装着されるときは、栓体９をその端部から元竿５（釣竿Ａ）の開口５ａに差し込んで嵌合する。
元竿５（釣竿Ａ）の先端部Ｓは、周壁１０ｂの内側と栓体９の間に設けられた間隙Ｋに入り込み、貫通孔１１よりも上方に形成された間隙Ｋの上端の突き当たりまで差し込まれて装着が完了する。
この時に元竿５（釣竿Ａ）の先端部Ｓの開口５ａやリング６が筒状体１０の差し込み口１０ｄから貫通孔１１を通過してさらに間隙Ｋの上端の突き当たりの方に移動していくのを目で見ながら確認でき、元竿５の先端の開口５ａが間隙Ｋの上端の突き当たりに当接すると開口５ａやリング６は貫通孔１１より上方に位置し貫通孔１１から見えなくなる。
【００１９】
貫通孔１１は、筒状体１０の周壁１０ｂの周方向に同じ間隔で複数並べて１周するように設けているため釣竿Ａの周囲のどの方向からも貫通孔１１を通じてその内側の状態を見ることができる。
また、貫通孔１１は、周壁１０ｂの周方向に延びた長孔であるため元竿５（釣竿Ａ）の先端部Ｓの開口５ａを水平方向から見やすくなり、真っ直ぐ差し込まれているか確認しやすい。
【００２０】
しかも、貫通孔１１は、その周壁１０ｂの外側に貫通孔１１の内側に向けて下る傾斜面１１ａが形成されているため、外側から貫通孔１１の中に光が差し込みやすくなり貫通孔１１を通じてその内側が見やすくなっている。
また、元竿５（釣竿Ａ）に取り付けた上栓８が緩んだ時も貫通孔１１を通じてその内側の状態を容易に確認することができる。
また、このようなときは、上栓８の装着が完了しても周壁１０ｂの内側と元竿５の先端部Ｓの外側との間には間隙Ｋが形成されているため、先端部Ｓの傷付きが防止され、貫通孔１１を通じて貫通孔１１近傍の周壁１０ｂの内側の様子も確認することができ、上栓８の緩みが発見しやすくなっている。
【００２１】
さらに、リング６は、元竿５の竿杆との境界が分かるように元竿５の竿杆と異なる色で形成され、また、光を反射しやすいようにその表面が鏡面状に形成されているため貫通孔１１を通過したり近づいたりすると貫通孔１１を通じて容易に発見できる。
【００２２】
図４は、第２実施例で上栓を装着した釣竿の全体図である。
【００２３】
第２実施例では、上栓８の周壁１０ｂに周壁１０ｂの外側から内側に通じる貫通孔１１を元竿５（釣竿Ａ）の長手方向に複数設けた釣竿で、その貫通孔１１は、元竿５（釣竿Ａ）の長手方向Ｌに複数並設して設けられている。
しかも、第１実施例と同様に貫通孔１１は、筒状体１０の周壁１０ｂの周方向に同じ間隔で複数並べて１周するように設けているため、さらに通孔１１を通じてその内側の状態を容易に確認することができるようになっている。
なお、貫通孔１１は、元竿５（釣竿Ａ）の長手方向に並設されずずらして設けてもよく、また、ランダムに多数設けてもよい。
【００２４】
このように、第２実施例においても第１実施例と同様の作用効果が得られることとなる。
なお、その他の構成は第１実施例と同じである。
【符号の説明】
【００２５】
Ａ    釣竿
５    元竿
８    上栓
１１  貫通孔
【図１】
2011177081.tif 000003
【図２】
2011177081.tif 000004
【図３】
2011177081.tif 000005
【図４】
2011177081.tif 000006